(57)【要約】【課題】  受信端と送信端の同期を確保できるＲＬＣリセット方法及び装置を提供する【解決手段】方法は、第一リセットＰＤＵ（プロトコルデータユニット）を受信し、第一リセットＰＤＵのＲＳＮが、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップからなる。【選択図】      図４
2007215168.tif 000002
【特許請求の範囲】
【請求項１】
無線通信システムの受信端に用いられるＲＬＣ（無線リンク制御）リセット方法であって、
第一リセットＰＤＵ（プロトコルデータユニット）を受信し、
第一リセットＰＤＵのリセットシーケンス番号（ＲＳＮ）が、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップからなることを特徴とするＲＬＣリセット方法。
【請求項２】
ＲＬＣリセット時に生じるエラーを防ぐ無線通信システムの通信装置であって、
通信装置の機能を実現させる制御回路と、
制御回路の中に設けられ、プログラムコードを実行して制御回路を制御する中央処理装置（ＣＰＵ）と、
ＣＰＵに結合されるように制御回路の中に設けられ、プログラムコードを保存する保存装置とを含み、該プログラムコードは、
第一リセットＰＤＵを受信し、
第一リセットＰＤＵのＲＳＮが、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップを含むことを特徴とする通信装置。
【請求項３】
前記ＲＬＣエンティティーの再確立は、ＲＬＣエンティティーの受信側と送信側の両方とも再確立することを内容とすることを特徴とする請求項１記載のＲＬＣリセット方法及び請求項２記載の通信装置。
【請求項４】
前記ＲＬＣエンティティーの再確立は、ＲＬＣエンティティーの受信側か送信側のいずれかを再確立することを内容とすることを特徴とする請求項１記載のＲＬＣリセット方法及び請求項２記載の通信装置。
【請求項５】
前記ＲＬＣリセット方法及びプログラムコードは更に、最後に返送されたリセット肯定応答ＰＤＵと同じ内容を有するリセット肯定応答ＰＤＵを出力するステップを含むことを特徴とする請求項１記載のＲＬＣリセット方法及び請求項２記載の通信装置。
【請求項６】
前記ＲＬＣリセット方法及びプログラムコードは更に、
第三リセットＰＤＵを受信し、
第三リセットＰＤＵのＲＳＮが、最後に受信された第二リセットＰＤＵのＲＳＮと異なり、または第三リセットＰＤＵが、ＲＬＣエンティティーの確立または再確立後に受信される１個目のリセットＰＤＵである場合に、ＲＬＣエンティティーをリセットするステップを含むことを特徴とする請求項１記載のＲＬＣリセット方法及び請求項２記載の通信装置。
【発明の詳細な説明】
【技術分野】
【０００１】
この発明は無線通信システムのＲＬＣ（無線リンク制御）リセットの方法及び装置に関し、特に受信端と送信端のＨＦＮ（ハイパーフレーム番号）同期を確保し、ＲＬＣリセットを円滑にする方法及び装置に関する。
【背景技術】
【０００２】
第三世代移動通信技術はＷＣＤＭＡ（広帯域符号分割多元接続）を利用することで、高いスペクトル利用効率、カバー率、通話品質及び高速伝送を実現させるとともに、ＱｏＳ（サービス品質）の確保、柔軟性のある双方向通信の実現、通話中断率の低減に大きく寄与する。
【０００３】
３ＧＰＰ（第三世代パートナーシッププロジェクト）が制定した通信プロトコルによれば、ＡＳ（アクセスストラタム）に関してはＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（放送／マルチキャスト制御）など機能の異なるレイヤーが定められている。第三世代移動通信システムは所要の伝送品質に応じ、ＴＭ（トランスペアレントモード）、ＵＭ（非アクノレッジモード）、ＡＭ（アクノレッジモード）などのモードで動作する。ＴＭモードは即時送信が求められるサービスに適し、ＵＭモードは即時送信とパケットシーケンスの正確性が同時に求められるサービスに適し、ＡＭモードは即時送信が低く要求され、データの正確性が高く要求されるサービスに適する。
【０００４】
ＡＭモードとＵＭモードでは、ＲＬＣレイヤーに対してＲＬＣ再確立（re-establish）を実行できる。これは、特定の状態変数をリセットし、設定可能なプロトコルパラメーターを正確の値にし、ＨＦＮ（ハイパーフレーム番号）を上位層に定められた値に設定し、更に特定のＰＤＵ（プロトコルデータユニット、例えば制御ＰＤＵまたはデータＰＤＵ）を削除することで、ＲＬＣレイヤーを再確立するプロセスをいう。
【０００５】
また、データの正確性を確保するため、ＡＭモードでは、送信端のＲＬＣエンティティーによりプロトコルエラーが検出されると、送信端はリセットＰＤＵを出力して、リセットプロセスを起動させることができる。リセットプロセスは、プロトコル状態、変数及びタイマーをリセットし、プロトコルエラーに起因するデータ送信失敗を防ぐために行われる。リセットＰＤＵを受信すると、受信端はリセット肯定応答ＰＤＵを送信端に返送するとともに、関連のリセットプロセスを実行する。
【０００６】
リセットＰＤＵとリセット肯定応答ＰＤＵはいずれも制御ＰＤＵに属し、そのパケット構造については、３ＧＰＰが制定したＲＬＣ通信プロトコル3GPP  TS  25.322  V6.6.0の9.2.1.7を参照する。同プロトコルによれば、リセットＰＤＵとリセット肯定応答ＰＤＵはいずれもＲＳＮ（リセットシーケンス番号）フィールドとＨＦＮＩ（ハイパーフレーム番号指示子）フィールドを含む。長さ２０ビットのＨＦＮＩフィールドはＨＦＮを示し、送信端と受信端のＨＦＮの同期に資する。長さ１ビットのＲＳＮフィールドはリセットＰＤＵのリセットシーケンス番号（ＲＳＮ）を示し、その初期値は０とされる。新規送信のリセットＰＤＵのＲＳＮは、その前のリセットＰＤＵのＲＳＮに１を足してなる値とされ、再送のリセットＰＤＵのＲＳＮは、本来のリセットＰＤＵのＲＳＮと一致する。ＲＬＣエンティティーを再確立するとき、ＲＳＮがそれと同時にリセットされる（初期値に戻される）のに対し、ＲＬＣエンティティーをリセットする場合では、ＲＳＮはリセットされない。
【０００７】
受信端がリセットＰＤＵを受信した後、または送信端がリセット肯定応答ＰＤＵを受信した後の動作については、上記通信プロトコルの11.4.3と11.4.4を参照する。略述すれば、受信端に受信されたリセットＰＤＵのＲＳＮが、送信端で最後に受信されたリセットＰＤＵのＲＳＮと一致すれば、受信端はリセット肯定応答ＰＤＵのみ返送し、関連のリセットプロセスを実行しない。したがって、該リセット肯定応答ＰＤＵは、最後に返送されたリセット肯定応答ＰＤＵと同じ内容を有する。受信端に受信されたリセットＰＤＵが、ＲＬＣエンティティーが確立（または再確立）された後に受信される１個目のリセットＰＤＵであり、もしくはそのＲＳＮが最後に受信されたリセットＰＤＵのＲＳＮと異なる場合では、受信端はリセット肯定応答ＰＤＵを送信端に返送するとともに、ＲＬＣエンティティーのリセット（例えばプロトコル状態、変数及びタイマーをリセットする。詳しくは前記プロトコルの11.4.3を参照）を実行する。また、送信端があるリセット肯定応答ＰＤＵを受信し、ただし当該リセット肯定応答ＰＤＵに対応するリセットＰＤＵは送信端から送信されたことがなければ、送信端はこのリセット肯定応答ＰＤＵを削除する。
【０００８】
以上のとおり、従来の技術は受信端と送信端でリセットＰＤＵとリセット肯定応答ＰＤＵを処理することで、ＲＬＣリセットを実行する。しかし、ＲＬＣエンティティーの再確立後に行われるＲＬＣリセットは、順調に進まない場合がある。
【０００９】
図１を参照する。送信端（ここではネットワーク端）が、ＲＳＮを示すＲＳＮフィールドが０（ＲＳＮ＝０）であり、ダウンリンクＨＦＮを示すＨＦＮＩフィールドがｘ１（ダウンリンクＨＦＮ（ＨＦＮＤＬ）＝ｘ１）であるリセットＰＤＵ１００を時点Ｔ１に送信し、第一ＲＬＣリセットを起動させるとすれば、受信端（ここではユーザー端）はリセットＰＤＵ１００を受信した後、ＲＳＮフィールドが０であり、ＨＦＮＩフィールドがｙ１（アップリンクＨＦＮ（ＨＦＮＵＬ）＝ｙ１）であるリセット肯定応答ＰＤＵ１０２を時点Ｔ２に返送するとともに、ＲＬＣエンティティーをリセットしてアップリンクＨＦＮを（ｙ１＋１）にする。ネットワーク端がこのリセット肯定応答ＰＤＵ１０２を受信すると、第一ＲＬＣリセットが完成し、送信端と受信端のＨＦＮ同期を保持するため、ネットワーク端はユーザー端のアップリンクＨＦＮを（ｙ１＋１）にする。第一ＲＬＣリセットの完成後、ＲＬＣレイヤーを再確立するＲＬＣリセットが時点Ｔ３に行われるとすれば、ＲＳＮは初期値の０に戻される。その後、もしネットワーク端がＲＳＮ＝０、ＨＦＮＩ＝ｘ２のリセットＰＤＵ１０４を時点Ｔ４に出力し、第二ＲＬＣリセットを起動させるとすれば、リセットＰＤＵ１０４のＲＳＮが、ユーザー端が最後に受信したリセットＰＤＵ１００のＲＳＮと同じ０であるため、従来の技術は、最後に返送されたリセットＰＤＵ１０２と同じ内容（ＲＳＮ＝０、ＨＦＮＩ＝ｙ１）を有するリセット肯定応答ＰＤＵ１０６のみ時点Ｔ５に返送し、関連のリセットを実行しない。しかしこの場合、ユーザー端のＨＦＮはｙ２である。言い換えれば、時点Ｔ５において、ユーザー端のアップリンクＨＦＮはｙ２である。リセットＰＤＵ１０４のＲＳＮがリセットＰＤＵ１００のＲＳＮと一致するため、ユーザー端は、最後に返送されたリセット肯定応答ＰＤＵ１０２と同じ内容を有するリセット肯定応答ＰＤＵ１０６を返送する。ネットワーク端は、ユーザー端から返送されるリセット肯定応答ＰＤＵ１０６に基づいて、ユーザー端のアップリンクＨＦＮを（ｙ１＋１）にする。その結果、ネットワーク端とユーザー端のＨＦＮは同期しなくなる。また、リセットＰＤＵ１０４が、ユーザー端のＲＬＣエンティティー再確立後に受信される１個目のリセットＰＤＵであるため、従来の技術によれば、ユーザー端は、ＲＳＮ＝０、ＨＦＮＩ＝ｙ２のリセット肯定応答ＰＤＵ１０８を時点Ｔ６に再送するとともに、ＲＬＣエンティティーをリセットして、そのアップリンクＨＦＮを（ｙ２＋１）にする。しかし、リセット肯定応答ＰＤＵ１０８を受信すると、ネットワーク端は既にリセットＰＤＵ１０４に対応するリセット肯定応答１０６を受信しているため、リセット肯定応答ＰＤＵ１０８は削除される。したがって、ユーザー端のアップリンクＨＦＮが（ｙ２＋１）になったにもかかわらず、ネットワーク端のアップリンクＨＦＮは（ｙ１＋１）にとどまり、ユーザー端とネットワーク端のＨＦＮは同期できなくなり、第二ＲＬＣリセットは順調に進まない。
【非特許文献１】3GPP  TS  25.322  V6.6.0  (2005-12),  “Radio  Link  Control  (RLC)  protocol  specification”
【発明の開示】
【発明が解決しようとする課題】
【００１０】
この発明は前述の問題を解決するため、受信端と送信端の同期を確保できるＲＬＣリセット方法及び装置を提供することを課題とする。
【課題を解決するための手段】
【００１１】
この発明は無線通無線通信システムの受信端に用いられるＲＬＣ（無線リンク制御）リセット方法を提供する。該方法は、第一リセットＰＤＵ（プロトコルデータユニット）を受信し、第一リセットＰＤＵのリセットシーケンス番号（ＲＳＮ）が、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップからなる。
【００１２】
この発明は更に、ＲＬＣリセット時に生じるエラーを防ぐ無線通信システムの通信装置を提供する。該通信装置は、通信装置の機能を実現させる制御回路と、制御回路の中に設けられ、プログラムコードを実行して制御回路を制御する中央処理装置（ＣＰＵ）と、ＣＰＵに結合されるように制御回路の中に設けられ、プログラムコードを保存する保存装置とを含む。該プログラムコードは、第一リセットＰＤＵを受信し、第一リセットＰＤＵのＲＳＮが、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップを含む。
【発明の効果】
【００１３】
この発明は、受信端に受信されるリセットＰＤＵが、最後に受信されたリセットＰＤＵと同じＲＳＮを有し、かつＲＬＣエンティティーの確立または再確立後に受信される１個目のリセットＰＤＵではない場合に、ＲＬＣエンティティーをリセットしない。そのため、受信端・送信端のＨＦＮ同期は確保され、ＲＬＣリセットは順調に進める。
【発明を実施するための最良の形態】
【００１４】
かかる方法及び装置の特徴を詳述するために、具体的な実施例を挙げ、図示を参照して以下に説明する。
【００１５】
図２を参照する。図２は無線通信システムの無線通信装置２００のブロック図である。説明を簡素化するため、図２は無線通信装置２００の入力装置２０２、出力装置２０４、制御回路２０６、ＣＰＵ（中央処理装置）２０８、保存装置２１０、プログラムコード２１２及びトランシーバー２１４のみ描いている。無線通信装置２００において、制御回路２０６はＣＰＵ２０８を用いて保存装置２１０に保存されたプログラムコード２１２を実行し、無線通信装置２００の動作を制御する。入力装置２０２（例えばキーボード）はユーザーが入力した信号を受信し、出力装置２０４（スクリーン、スピーカーなど）は映像、音声などの信号を出力する。無線信号を受発信するトランシーバー２１４は受信した信号を制御回路２０６に送信し、または制御回路２０６による信号を無線で出力する。言い換えれば、通信プロトコルの構造から見れば、トランシーバー２１４はレイヤー１の一部とみなされ、制御回路２０６はレイヤー２とレイヤー３の機能を実行する。
【００１６】
図３を参照する。図３は図２に示すプログラムコード２１２を表す説明図である。アプリケーションレイヤー３００と、レイヤー３インターフェイス３０２と、レイヤー２インターフェイス３０６からなるプログラムコード２１２は、レイヤー１インターフェイス３１８と接続されている。信号を発信するとき、レイヤー２インターフェイス３０６はレイヤー３インターフェイス３０２から出力されたデータに基づいて複数のＳＤＵ（サービスデータユニット）３０８を生成し、これをバッファー３１２に保存する。その後、レイヤー２インターフェイス３０６は、バッファー３１２に保存されるＳＤＵ３０８に基づいて複数のＰＤＵ３１４を生成し、これをレイヤー１インターフェイス３１８を介して送信先に出力する。それに対して、無線信号を受信するときは、レイヤー１インターフェイス３１８を介して信号を受信し、受信した信号をＰＤＵ３１４形式でレイヤー２インターフェイス３０６に出力する。その後、レイヤー２インターフェイス３０６はこのＰＤＵ３１４をＳＤＵ３０８に復元してバッファー３１２に保存する。最後に、レイヤー２インターフェイス３０６はバッファー３１２に保存されるＳＤＵ３０８をレイヤー３インターフェイス３０２に送信する。
【００１７】
ＡＭモードで作動する無線通信装置２００において、ＲＬＣエンティティー（レイヤー２インターフェイス３０６）によりプロトコルエラーが検出されるとき、プロトコルエラーに起因するデータ送信失敗を防ぐため、リセットプロセスを実行する。本発明はＲＬＣリセットプログラムコード２２０で再送されるリセットＰＤＵを検知し、送信端と受信端のＨＦＮ同期を確保する。
【００１８】
図４を参照する。図４はこの発明による方法のフローチャート４０である。下記に示す方法４０は無線通信システムの受信端におけるＲＬＣエンティティーのリセットに用いられ、ＲＬＣリセットプログラムコード２２０としてコンパイルすることができる。
【００１９】
ステップ４００：開始。
【００２０】
ステップ４０２：リセットＰＤＵを受信する。
【００２１】
ステップ４０４：上記リセットＰＤＵのＲＳＮが、最後に受信されたリセットＰＤＵのＲＳＮと一致し、かつ上記リセットＰＤＵが、ＲＬＣエンティティーの確立または再確立後に受信される１個目のリセットＰＤＵではない場合に、ＲＬＣエンティティーをリセットしない。
【００２２】
ステップ４０６：終了。
【００２３】
以上のとおり、送信端から出力されたリセットＰＤＵを受信端が受信した後、該リセットＰＤＵのＲＳＮが、最後に受信されたリセットＰＤＵのＲＳＮと一致し、かつ該リセットＰＤＵが、ＲＬＣエンティティーの確立または再確立後に受信される１個目のリセットＰＤＵではない場合では、受信端はＲＬＣエンティティーをリセットしない。言い換えれば、受信端に受信されるリセットＰＤＵが、最後に受信されたリセットＰＤＵと同じＲＳＮを有し、かつＲＬＣエンティティーの確立または再確立後に受信される１個目のリセットＰＤＵではない場合、受信端はＲＬＣエンティティーをリセットしない。望ましくは、その代わりに、最後に返送されたリセット肯定応答ＰＤＵと同じ内容を有するリセット肯定応答ＰＤＵを返送する。それに反し、受信端に受信されるリセットＰＤＵのＲＳＮが、最後に受信されたリセットＰＤＵのＲＳＮと異なり、または当該リセットＰＤＵが、ＲＬＣエンティティーの確立または再確立後に受信される１個目のリセットＰＤＵである場合では、受信端はＲＬＣエンティティーをリセットする。したがって、ＲＬＣエンティティーの再確立後に行われても、ＲＬＣリセットは順調に進める。
【００２４】
図５を参照する。図１を参照する。送信端（ここではネットワーク端）が、ＲＳＮを示すＲＳＮフィールドが０（ＲＳＮ＝０）であり、ダウンリンクＨＦＮを示すＨＦＮＩフィールドがｘ１（ダウンリンクＨＦＮ（ＨＦＮＤＬ）＝ｘ１）であるリセットＰＤＵ５００を時点Ｔ１に送信し、第一ＲＬＣリセットを起動させるとすれば、受信端（ここではユーザー端）はリセットＰＤＵ５００を受信した後、ＲＳＮフィールドが０であり、ＨＦＮＩフィールドがｙ１（アップリンクＨＦＮ（ＨＦＮＵＬ）＝ｙ１）であるリセット肯定応答ＰＤＵ５０２を時点Ｔ２に返送するとともに、ＲＬＣエンティティーをリセットしてアップリンクＨＦＮを（ｙ１＋１）にする。ネットワーク端がこのリセット肯定応答ＰＤＵ５０２を受信すると、第一ＲＬＣリセットが完成し、送信端と受信端のＨＦＮ同期を保持するため、ネットワーク端はユーザー端のアップリンクＨＦＮを（ｙ１＋１）にする。第一ＲＬＣリセットの完成後、ＲＬＣレイヤーを再確立するＲＬＣリセットが時点Ｔ３に行われるとすれば、ＲＳＮは初期値の０に戻される。その後、もしネットワーク端がＲＳＮ＝０、ＨＦＮＩ＝ｘ２のリセットＰＤＵ５０４を時点Ｔ４に出力し、第二ＲＬＣリセットを起動させるとすれば、リセットＰＤＵ５０４はユーザー端の再確立後に受信される１個目のリセットＰＤＵであるため、本発明によれば、ユーザー端は、ＲＳＮ＝０、ＨＦＮＩ＝ｙ２のリセット肯定応答ＰＤＵ５０８を時点Ｔ５に送信するとともに、ＲＬＣエンティティーをリセットし、そのアップリンクＨＦＮを（ｙ２＋１）にする。ネットワーク端がリセット肯定応答ＰＤＵ５０８を受信すると、第二ＲＬＣリセットが完成し、送信端と受信端のＨＦＮ同期を保持するため、ネットワーク端はユーザー端のアップリンクＨＦＮを（ｙ２＋１）にする。
【００２５】
次に図１と図５を比較する。図１では、リセットＰＤＵ１０４がリセットＰＤＵ１００と同じＲＳＮを有し、しかもリセットＰＤＵ１０４自体が、ユーザー端のＲＬＣエンティティーの再確立後に受信される１個目のリセットＰＤＵであるため、従来の技術は時点Ｔ５、Ｔ６にリセット肯定応答ＰＤＵ１０６、１０８をそれぞれ返送する。その結果、送信端はリセット肯定応答ＰＤＵ１０８を削除し、送信端・受信端のＨＦＮは同期できず、ＲＬＣリセットは順調に進まない。それと比べて、本発明では、受信端に受信されるリセットＰＤＵが、最後に受信されたリセットＰＤＵと同じＲＳＮを有し、かつＲＬＣエンティティーの確立または再確立後に受信される１個目のリセットＰＤＵではない場合、受信端はＲＬＣエンティティーをリセットしない。それに反し、受信端に受信されるリセットＰＤＵのＲＳＮが、最後に受信されたリセットＰＤＵのＲＳＮと異なり、または当該リセットＰＤＵが、ＲＬＣエンティティーの確立または再確立後に受信される１個目のリセットＰＤＵである場合では、受信端はＲＬＣエンティティーをリセットする。したがって、図５に示すように、ユーザー端は時点Ｔ５とＴ４の間にリセットＰＤＵを出力しない。その結果、送信端・受信端のＨＦＮ同期は保持され、ＲＬＣリセットは順調に進める。
【００２６】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２７】
この発明は、特定の条件のもとでＲＬＣエンティティーのリセットを行わないことを内容とする。かかる方法は当然実施可能である。
【図面の簡単な説明】
【００２８】
【図１】従来のユーザー端とネットワーク端におけるリセットＰＤＵとリセット肯定応答ＰＤＵの処理を表す説明図である。
【図２】この発明による無線通信装置のブロック図である。
【図３】図２のプログラムコードを表す説明図である。
【図４】この発明による方法のフローチャートである。
【図５】この発明によるユーザー端とネットワーク端におけるリセットＰＤＵとリセット肯定応答ＰＤＵの処理を表す説明図である。
【符号の説明】
【００２９】
１００、１０４、５００、５０４  リセットＰＤＵ
１０２、１０６、１０８、５０２、５０８  リセット肯定応答ＰＤＵ
２００  無線通信装置
２０２  入力装置
２０４  出力装置
２０６  制御回路
２０８  ＣＰＵ
２１０  保存装置
２１２  プログラムコード
２１４  トランシーバー
２２０  ＲＬＣリセットプログラムコード
３００  アプリケーションレイヤー
３０２  レイヤー３インターフェイス
３０６  レイヤー２インターフェイス
３１２  バッファー
３１４  ＳＤＵ
３１８  レイヤー１インターフェイス
【図１】
2007215168.tif 000003
【図２】
2007215168.tif 000004
【図３】
2007215168.tif 000005
【図４】
2007215168.tif 000006
【図５】
2007215168.tif 000007
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
無線通信システムの受信端に用いられるＲＬＣ（無線リンク制御）リセット方法であって、
第一リセットＰＤＵ（プロトコルデータユニット）を受信し、
第一リセットＰＤＵのリセットシーケンス番号（ＲＳＮ）が、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップからなることを特徴とするＲＬＣリセット方法。
【請求項２】
前記ＲＬＣエンティティーの再確立は、ＲＬＣエンティティーの受信側と送信側の両方とも再確立することを内容とすることを特徴とする請求項１記載のＲＬＣリセット方法。
【請求項３】
前記ＲＬＣエンティティーの再確立は、ＲＬＣエンティティーの受信側か送信側のいずれかを再確立することを内容とすることを特徴とする請求項１記載のＲＬＣリセット方法。
【請求項４】
前記ＲＬＣリセット方法及びプログラムコードは更に、最後に返送されたリセット肯定応答ＰＤＵと同じ内容を有するリセット肯定応答ＰＤＵを出力するステップを含むことを特徴とする請求項１記載のＲＬＣリセット方法。
【請求項５】
前記ＲＬＣリセット方法及びプログラムコードは更に、
第三リセットＰＤＵを受信し、
第三リセットＰＤＵのＲＳＮが、最後に受信された第二リセットＰＤＵのＲＳＮと異なり、または第三リセットＰＤＵが、ＲＬＣエンティティーの確立または再確立後に受信される１個目のリセットＰＤＵである場合に、ＲＬＣエンティティーをリセットするステップを含むことを特徴とする請求項１記載のＲＬＣリセット方法。
【請求項６】
ＲＬＣリセット時に生じるエラーを防ぐ無線通信システムの通信装置であって、
通信装置の機能を実現させる制御回路と、
制御回路の中に設けられ、プログラムコードを実行して制御回路を制御する中央処理装置（ＣＰＵ）と、
ＣＰＵに結合されるように制御回路の中に設けられ、プログラムコードを保存する保存装置とを含み、該プログラムコードは、
第一リセットＰＤＵを受信し、
第一リセットＰＤＵのＲＳＮが、最後に受信された第二リセットＰＤＵのＲＳＮと一致し、かつ第一リセットＰＤＵが、ＲＬＣエンティティーの確立または再確立後に受信される１個目のリセットＰＤＵではない場合に、ＲＬＣエンティティーをリセットしないステップを含むことを特徴とする通信装置。
【請求項７】
前記ＲＬＣエンティティーの再確立は、ＲＬＣエンティティーの受信側と送信側の両方とも再確立することを内容とすることを特徴とする請求項６記載の通信装置。
【請求項８】
前記ＲＬＣエンティティーの再確立は、ＲＬＣエンティティーの受信側か送信側のいずれかを再確立することを内容とすることを特徴とする請求項６記載の通信装置。
【請求項９】
前記ＲＬＣリセット方法及びプログラムコードは更に、最後に返送されたリセット肯定応答ＰＤＵと同じ内容を有するリセット肯定応答ＰＤＵを出力するステップを含むことを特徴とする請求項６記載の通信装置。
【請求項１０】
前記ＲＬＣリセット方法及びプログラムコードは更に、
第三リセットＰＤＵを受信し、
第三リセットＰＤＵのＲＳＮが、最後に受信された第二リセットＰＤＵのＲＳＮと異なり、または第三リセットＰＤＵが、ＲＬＣエンティティーの確立または再確立後に受信される１個目のリセットＰＤＵである場合に、ＲＬＣエンティティーをリセットするステップを含むことを特徴とする請求項６記載の通信装置。